(57)【要約】【課題】  補強用リブと脚とをバランスを良く接続して成形性を良くし、また湯や入浴者の荷重を安定的に支持できるようにすると共に、底に衝撃が加わった場合にも、脚に応力が集中することを防止し、強度が高くなるよう形成した浴槽の脚構造を提供する。【解決手段】  底１の裏面に補強用リブ２を下方から見て枠形に形成する。この補強用リブ２の外側の底１の裏面に、補強用リブ２に接して脚３を補強用リブ２と共に底１に一体成形する。上記の脚３を、底１の隅の補強用リブ２のコーナー部２ａに、下方から見てコーナー部２ａの斜め外側方に延ばして形成する。【選択図】      図１
2011045601.tif 000002
【特許請求の範囲】
【請求項１】
底の裏面に補強用リブが下方から見て枠形に形成され、この補強用リブの外側の底の裏面に、補強用リブに接して脚が補強用リブと共に底に一体成形されている浴槽の脚構造であって、上記の脚が、底の隅の補強用リブのコーナー部に、下方から見てコーナー部の斜め外側方に延ばされて形成されていることを特徴とする浴槽の脚構造。
【請求項２】
請求項１記載の浴槽の脚構造であって、補強用リブが、四角形の枠形に形成され、コーナー部が湾曲されていることを特徴とする浴槽の脚構造。
【請求項３】
請求項１又は２記載の浴槽の脚構造であって、補強用リブが、コーナー部において脚と略同じ高さに形成されていることを特徴とする浴槽の脚構造。
【請求項４】
請求項１乃至３の何れかに記載の浴槽の脚構造であって、脚が略平行で対になった板片で形成されていることを特徴とする浴槽の脚構造。
【発明の詳細な説明】
【技術分野】
【０００１】
本発明は、浴槽の脚構造に関し、更に詳しくは脚が浴槽本体に一体成形されている浴槽の脚構造に関するものである。
【背景技術】
【０００２】
従来この種の脚構造としては、例えば特許文献１に記載されているものがある。
この従来構造は、浴槽本体の底部裏面に、矩形に補助補強リブが形成され、このリブのコーナー部から位置がずらされて脚が形成されると共に、各脚の外側面に、下方から見て向きが異なるよう２枚の補強リブが形成されているものである。
【０００３】
而して、この従来構造は、上記の通り、脚がリブのコーナー部からずらされて形成され、また２枚の補強リブが向きを違えて脚に接続されていた。
従ってこの従来構造の場合は、成形不良が起き易く、またリブと脚とのバランスが悪いため、例えば浴槽の底部に前後左右から強い衝撃が加わると、脚に応力が集中し易いものであった。その結果、これによると、脚が損壊したり、底部にひび割れなどが起きることがあり、荷重を長期間にわたって安定的に支持できない、という問題点があった。
【先行技術文献】
【特許文献】
【０００４】
【特許文献１】特開平１０−３２８０６４号公報
【発明の概要】
【発明が解決しようとする課題】
【０００５】
本発明は、このような従来の問題点に鑑み、提案されたものである。
従って本発明の解決しようとする技術的課題は、リブと脚とをバランスを良く接続して成形性を良くし、また湯や入浴者の荷重を安定的に支持できるようにすると共に、底に衝撃が加わった場合にも、脚に応力が集中することを防止できるようにし、強度が高くなるよう形成した浴槽の脚構造を提供することにある。
【課題を解決するための手段】
【０００６】
本発明は、上記の課題を解決するため、次のような技術的手段を採る。
即ち本発明は、図１等に示されるように、底１の裏面に補強用リブ２が下方から見て枠形に形成され、この補強用リブ２の外側の底１の裏面に、補強用リブ２に接して脚３が補強用リブ２と共に底１に一体成形されている浴槽の脚構造であって、上記の脚３が、底１の隅の補強用リブ２のコーナー部２ａに、下方から見てコーナー部２ａの斜め外側方に延ばされて形成されていることを特徴とする（請求項１）。
【０００７】
ここで、斜め外側方に延ばされ、とは、脚３は下方から見て補強用リブ２に対して斜めになるよう外側方に延ばされている、ということを意味する。本発明は、具体的には、例えば脚３が、底１の隅の補強用リブ２のコーナー部２ａに、下方から見てコーナー部２ａの角度を略二等分する線L上において、補強用リブ２に対して斜め外側方に延ばされることで実現される。この場合、補強用リブ２の形状が下方から見て、例えば長方形や正方形のときは、コーナー部２ａの角度が９０度になるから、線Ｌは下方から見て４５度の位置に引かれることになる。
而して、ここで、略二等分とは、本発明の課題を実現できる範囲であれば、完全に二等分される場合には限られない、ということを意味する。
【０００８】
また本発明の場合、補強用リブ２は、四角形の枠形に形成され、コーナー部２ａが湾曲されているのが好ましい（請求項２）。
なぜならこれによると、成形用の金型を複雑にすることなく、且つ一定の強度を有する状態で補強用リブ２を効率良く形成できるからである。またこの場合は、コーナー部２ａが湾曲されているから、これによると底１に衝撃が加わったときの応力集中を緩和でき、しかも成形時にコーナー部２ａにおいて樹脂５（図５参照）の流れを円滑化でき、一層、成形不良を回避できるからである。
【０００９】
また本発明は、補強用リブ２が、コーナー部２ａにおいて脚３と略同じ高さに形成されているのが好ましい（請求項３）。
なぜならこれによると、補強用リブ２が脚３と協働して荷重を支持でき、従って支持機能、耐荷機能が高まり、またコーナー部２ａの機械的強度を向上できるからである。ここで、略同じ高さ、とは、補強用リブ２が脚３と協働して荷重を支持可能であれば、高さが全く同一の場合には限られない、ということを意味する。
【００１０】
また本発明は、脚３が略平行で対になった板片３ａで形成されているのが好ましい（請求項４）。
なぜならこれによると、成形材料を節減でき、また重量を軽減できるからである。ここで、略平行とは、完全な平行状の場合には限られない、ということを意味する。また本発明の場合、脚３は、例えば対になった板片３ａを、例えば二組備えて形成されているのでも良い。
【発明の効果】
【００１１】
本発明は、このように底の裏面に補強用リブを下方から見て枠形に形成し、この補強用リブの外側に補強用リブに接して脚を補強用リブと共に底の裏面に一体成形している浴槽の脚構造であって、上記の脚を、底の隅の補強用リブのコーナー部に、下方から見てコーナー部の斜め外側方に延ばして形成しているものである。
従って本発明の場合は、補強用リブのコーナー部において成形性が良くなり、補強用リブと脚の位置のバランスが良くなる。それ故、本発明によると、その分、強度が高まり、脚に応力が集中することを防止でき、湯や入浴者の荷重を安定的に支持できる。
【図面の簡単な説明】
【００１２】
【図１】本発明の脚構造の好適な一実施形態を示す浴槽の底面図である。
【図２】同上脚構造を示す浴槽の正面図である。
【図３】同上脚構造を示す浴槽の斜視図である。
【図４】同上脚構造を示す浴槽の要部斜視図である。
【図５】成形時の樹脂の流れを説明するための浴槽の底面図である。
【図６】同上脚構造の他の実施形態を示す要部正面図である。
【発明を実施するための形態】
【００１３】
以下、本発明を実施するための好適な一実施形態を説明する。
本発明は、図１等に示されるように、底１の裏面に補強用リブ２が下方から見て枠形に形成されている。この実施形態の場合、補強用リブ２は、四角形の枠形に形成され、コーナー部２ａが、半径３０ｍｍの曲率で湾曲されている。
【００１４】
また本発明は、補強用リブ２の外側の底１の裏面に、補強用リブ２に接して脚３が補強用リブ２と共に底１に一体成形されている。なお、補強用リブ２の内側には底１の強度を高めるための補助リブ４が補強用リブ２と一体化されて平行状に形成されている。
【００１５】
また本発明の場合、上記の脚３は、底１の隅の補強用リブ２のコーナー部２ａに、下方から見てコーナー部２ａの斜め外側方に延ばされて形成されている。而して、この実施形態の場合、脚３は、コーナー部２ａの角度を略二等分する線Ｌ上において、補強用リブ２に対し斜めになるよう外側方に延ばされて形成されている。なお、この実施形態では、コーナー部２ａの角度は９０度であるため、線Ｌは４５度の位置に引かれ、従って脚３は４５度の向きで延ばされている。
【００１６】
また補強用リブ２は、図２〜図４に示されるように、この実施形態ではコーナー部２ａにおいて脚３と同じ高さに形成されている。即ち、補強用リブ２は、コーナー部２ａ以外の箇所では高さが低い状態で長く形成され、コーナー部２ａに近づくのに連れて波形に徐々に高く形成され、コーナー部２ａにおいては脚３と同じ高さに形成されている。
【００１７】
またこの実施形態の本発明の場合、脚３は平行一対の板片３ａで形成されている。この板片３ａの突き出し側の開放状の側端３ｂは、脚３の接地辺部３ｃから底１に向かって徐々に立ち上げられて傾斜状に形成されている。なお、板片３ａ同士は、板片３ａと同じ高さの連結片３ｄで連結され、補強されている。
【００１８】
而して、この実施形態の本発明品は、図５に矢示されるように、成形時に補強用リブ２の中央部から樹脂５が金型内に注入加圧されて形成されるものである。
この場合、この実施形態の本発明は、上記の通り、脚３がコーナー部２ａの角度を略二等分する線Ｌ上において、補強用リブ２に対し斜めになるよう外側方に延ばされているから、樹脂５は、補強用リブ２のコーナー部２ａと脚３を形作る金型キャビティ内を、コーナー部２ａから脚３に向かって円滑に且つバランス良く流れ、従って成形不良（充填不足）を生じることがない。
【００１９】
以上の処において、本発明の場合、脚３の形成角度は、樹脂５の充填位置と脚３を設ける位置との関係で適宜決定されるものである。
また上記の補強用リブ２は、図６に示されるように、コーナー部２ａの位置で矩形波状に立ち下げられ、コーナー部２ａにおいて脚３と略同じ高さに形成されているのでも良い。この場合は、補強用リブ２と脚３との接続が、コーナー部２ａにおいて直線的であるため、その分、金型の加工コストを低廉化できるものである。
また本発明の場合、補強用リブ２は、成形性が損なわれない範囲であれば、枠形の一部が切り欠かれ、全周がつながっていない状態でも良い。
更に、上記の脚３は、対になった板片３ａの間に、追加片が平行状に介装されて形成されているのでも良い。
【符号の説明】
【００２０】
１      底
２      補強用リブ
２ａ    コーナー部
３      脚
Ｌ      線
【図１】
2011045601.tif 000003
【図２】
2011045601.tif 000004
【図３】
2011045601.tif 000005
【図４】
2011045601.tif 000006
【図５】
2011045601.tif 000007
【図６】
2011045601.tif 000008